(57)【要約】【課題】コンピュータ用の録音機能付きワイヤレスカーソル位置決め装置を提供する。【解決手段】本考案のコンピュータ用の録音機能付きワイヤレスカーソル位置決め装置は、送信機１２およびレコーダ１４を含む。レコーダ１４は、マイクロホンＸ１およびスピーカＬＳ１を備えている。したがって、ワイヤレスカーソル制御装置は、コンピュータカーソルを制御するのと同様に、デジタル録音装置として使用されることができる。さらに、より長時間の録音が必要な場合、送信機１２によって録音音声信号をコンピュータに送り、前記コンピュータのハードディスクに格納する。【選択図】図２
0003108394.tif 000002
【実用新案登録請求の範囲】
【請求項１】
筐体と、
前記筐体内に設けられてマイクロプロセッサを含み、入力を受けて関連する出力信号を出力する制御ユニットと、
前記筐体内に設けられて前記制御ユニットと電気的に接続され、利用者の操作の二次元的な動作を検出して前記制御ユニットに入力する位置決め信号を生成する動作コントローラと、
前記筐体内に設けられて前記制御ユニットと電気的に接続され、前記制御ユニットからの前記出力信号を変調して、コンピュータカーソルの動作を制御するために変調された信号をコンピュータに送信する送信機と、
前記筐体上に設けられて前記制御ユニットと電気的に接続され、録音ボタンおよび再生ボタンを含む一組のボタンと、
前記筐体内に設けられてデジタル録音プロセッサ、マイクロホン、およびスピーカを含んでおり、前記録音ボタンが押圧される場合、前記マイクロホンを介して音声を録音し、前記再生ボタンが押圧される場合、前記スピーカを介して録音された音声を再生するレコーダと、を有することを特徴とするコンピュータ用の録音機能付きワイヤレスカーソル位置決め装置。
【請求項２】
前記デジタル録音プロセッサは、前記マイクロホンから受けるアナログ音声信号をデジタル音声信号に変換し、当該デジタル音声信号を前記録音された音声として当該デジタル録音プロセッサの内蔵メモリに格納することを特徴とする請求項１に記載の録音機能付きワイヤレスカーソル位置決め装置。
【請求項３】
前記デジタル録音プロセッサは、前記マイクロホンから受けるアナログ音声信号をデジタル音声信号に変換し、当該デジタル音声信号を前記録音された音声として前記制御ユニットの内蔵メモリに格納することを特徴とする請求項１に記載の録音機能付きワイヤレスカーソル位置決め装置。
【請求項４】
前記デジタル録音プロセッサは、前記マイクロホンから受けるアナログ音声信号をデジタル音声信号に変換して前記制御ユニットに送り、前記デジタル音声信号は前記送信機によって送信され、送信された前記デジタル音声信号が前記録音された音声として前記コンピュータのハードディスクに格納されることを特徴とする請求項１に記載の録音機能付きワイヤレスカーソル位置決め装置。
【考案の詳細な説明】
【技術分野】
【０００１】
本考案は、一般に、コンピュータ用の録音機能付きワイヤレスカーソル位置決め装置に関し、当該装置は、コンピュータ周辺機器の入力装置にデジタル録音機能を組み合わせたものである。
【背景技術】
【０００２】
コンピュータは、会議での説明のために、ますます一般に使われるようになっている。コンピュータは、投影シートを用いることなく、生き生きとしたパフォーマンスを提供することができる。しかしながら、説明が円滑に進行するかどうかは、コンピュータを簡単に使えるかどうかに依存する。説明者が一人でコンピュータのソフトウェアを操作する間、説明者のパフォーマンスは制限され得る。あるいは、説明者に同伴する他の誰かを必要とし得る。これらはともに、十分に良いというものではない。
【０００３】
したがって、従来のワイヤレスコンピュータカーソル制御装置は、説明者が手で持つことができるように提供されている。その結果、コンピュータは、赤外線（ＩＲ）あるいは無線周波数（ＲＦ）伝送を介して制御される。しかしながら、単一のカーソル制御機能のみを有し、いかなる特別な機能も有しない従来の装置は、十分なものではない。したがって、さらなる改良が依然として必要とされている。
【０００４】
さらに、デジタルレコーダは、テープを使用せず小型であるということはよく知られている。しかしながら、録音時間は、デジタルレコーダのメモリの大きさによって制限される。デジタルレコーダは、さらなる録音に対してはメモリを空にしなければならない。
【考案の開示】
【考案が解決しようとする課題】
【０００５】
本考案の目的は、コンピュータ用の録音機能付きワイヤレスカーソル位置決め装置を提供することである。
【課題を解決するための手段】
【０００６】
上記目的を達成するための本考案は、
（１）  筐体と、前記筐体内に設けられてマイクロプロセッサを含み、入力を受けて関連する出力信号を出力する制御ユニットと、前記筐体内に設けられて前記制御ユニットと電気的に接続され、利用者の操作の二次元的な動作を検出して前記制御ユニットに入力する位置決め信号を生成する動作コントローラと、前記筐体内に設けられて前記制御ユニットと電気的に接続され、前記制御ユニットからの前記出力信号を変調して、コンピュータカーソルの動作を制御するために変調された信号をコンピュータに送信する送信機と、前記筐体上に設けられて前記制御ユニットと電気的に接続され、録音ボタンおよび再生ボタンを含む一組のボタンと、前記筐体内に設けられてデジタル録音プロセッサ、マイクロホン、およびスピーカを含んでおり、前記録音ボタンが押圧される場合、前記マイクロホンを介して音声を録音し、前記再生ボタンが押圧される場合、前記スピーカを介して録音された音声を再生するレコーダと、を有することを特徴としている。
【０００７】
（２）  前記デジタル録音プロセッサは、前記マイクロホンから受けるアナログ音声信号をデジタル音声信号に変換し、当該デジタル音声信号を前記録音された音声として当該デジタル録音プロセッサの内蔵メモリに格納する。
【０００８】
（３）  前記デジタル録音プロセッサは、前記マイクロホンから受けるアナログ音声信号をデジタル音声信号に変換し、当該デジタル音声信号を前記録音された音声として前記制御ユニットの内蔵メモリに格納する。
【０００９】
（４）  前記デジタル録音プロセッサは、前記マイクロホンから受けるアナログ音声信号をデジタル音声信号に変換して前記制御ユニットに送り、前記デジタル音声信号は前記送信機によって送信され、送信された前記デジタル音声信号が前記録音された音声として前記コンピュータのハードディスクに格納される。
【考案の効果】
【００１０】
本考案によれば、ワイヤレスカーソル位置決め装置は、コンピュータカーソルを制御する機能を有するだけでなく、デジタルレコーダとしての機能を有する。
【００１１】
より長時間の録音が必要な場合、ワイヤレスカーソル制御装置の送信機を利用して、録音音声信号をコンピュータに送信し、コンピュータのハードディスクに格納することができる。したがって、録音機能がさらに拡張される。
【考案を実施するための最良の形態】
【００１２】
本考案の特徴は他の特徴と同様に、添付の図面を参照することによって明瞭になる。以下、図面を参照しつつ、本考案の実施の形態を説明する。なお、本明細書および実用新案登録請求の範囲中の「音声」は、人が出す声だけでなく、その他の音を含む。
【００１３】
図1は、本考案のコンピュータ用の録音機能付きワイヤレスカーソル位置決め装置（以下、録音可能なワイヤレスコンピュータカーソル制御装置）の使用形態を示す図である。本考案の録音可能なワイヤレスコンピュータカーソル制御装置１は、遠隔コントローラおよびワイヤレスマウスと類似した操作を伴う携帯型装置であって、筐体および回路基板を含む。さらに、図１に示されるラップトップコンピュータのようなコンピュータ２を遠隔で制御するための複数の機能ボタンが、前記筐体に取り付けられている。なお、コンピュータ２は、前記ラップトップコンピュータに限定されず、他のデスクトップパソコン、パネルコンピュータ、および携帯型のコンピュータなどであってもよい。
【００１４】
図２に示されるとおり、本考案の回路図は、制御ユニット１１、送信機１２、一組のボタン１３、レコーダ１４、および二次元の動作コントローラ１５を含む。マイクロプロセッサＵ１を含む制御ユニット１１は、送信機１２、ボタン１３、レコーダ１４、および動作コントローラ１５に接続される。ボタン１３は、複数のスイッチを含み、好ましい本実施の形態においては、録音ボタン、再生ボタンに加えて、たとえばページのアップ／ダウンのような特定の機能制御を提供するＳ１〜Ｓ５の５つのスイッチを含む。制御ユニット１１は、複数のボタン１３が押圧されると入力を受けて、関連する信号を送信機１２に出力することができる。
【００１５】
次に、送信機１２は、制御ユニット１１からの出力信号を変調して、ＩＲまたはＲＦ信号のような変調信号をコンピュータに送信する。動作コントローラ１５は、利用者の操作の二次元的な動作を検出して制御ユニット１１に入力する位置決め信号を生成する。動作コントローラ１５によって、利用者は、コンピュータカーソルの動作を制御することができる。なお、動作コントローラ１５自体は、一般の動作コントローラと同様であるので、以下、簡単に説明する。動作コントローラ１５は、ボールボタンまたはジャイロスタットのボールを含む。ボールが動作しているときに、動作コントローラ１５は、動作の方向を計算することによって、位置決め信号を生成することができる。次に、前記位置決め信号は、制御ユニット１１に送られ、送信機１２に出力するためのシリアル信号として入力される。送信機１２において前記信号は変調され、ＩＲまたはＲＦ信号として送信されて、コンピュータ２の受信機２１によって受信される。コンピュータ２による復調の後、コンピュータカーソルは、録音可能なワイヤレスコンピュータカーソル制御装置１の制御の下に動作される。
【００１６】
レコーダ１４は、デジタル録音プロセッサＵ３、マイクロホンＸ１、およびスピーカＬＳ１を含む。複数のボタン１３のうちの録音ボタンが押圧されると、レコーダ１４は、マイクロホンＸ１を介して録音するように作動される。デジタル録音プロセッサＵ３は、マイクロホンＸＩから受けるアナログ音声信号をデジタル音声信号に変換し、当該デジタル音声信号を録音された音声としてデジタル録音プロセッサＵ３または制御装置１１の内蔵メモリに格納する。また、複数のボタン１３のうちの録音ボタンが押圧されると、レコーダ１４は、スピーカＬＳ１を介して、前記録音された音声を再生するように作動される。
【００１７】
より長時間の録音が必要な場合、複数のボタン１３のうちの送信ボタンを押圧することにより、デジタル録音プロセッサＵ３は音声信号を制御ユニット１１に送り、送信機１２に出力するためのシリアル信号として入力される。同様に、送信機１２において信号は変調されてＩＲまたはＲＦ信号として送信され、コンピュータの受信機２１によって受信される。そして、受信機２１によって受信された前記信号は、前記コンピュータのハードディスクに格納される。さらに、前記録音された音声を前記コンピュータに再生させることは、録音可能なワイヤレスコンピュータカーソル制御装置１によって制御されてもよい。しかしながら、音声が録音されて、録音可能なワイヤレスコンピュータカーソル制御装置１に格納される場合、前記音声はスピーカＬＳ１によって再生されることができる。すなわち、本考案の録音可能なワイヤレスコンピュータカーソル制御装置１自体が、デジタル録音装置となることができる。さらに、録音音声信号がコンピュータに送信され、前記コンピュータに格納されることにより、録音機能を拡張することができる。したがって、拡張可能なデジタル録音機能を有するワイヤレスカーソル制御装置が提供される。
【００１８】
この開示は、本考案の代表的な一実施の形態を提供するものである。本考案の範囲は、この代表的な実施の形態によって制限されるものではない。明細書によって明示的に提供されようが、明細書によって暗示されようが、構造、寸法、材料の種類、および製造工程における変形例のような多数の変形例は、この開示の観点から、同じ技術分野における通常の知識を有する者によって実行され得る。
【図面の簡単な説明】
【００１９】
【図１】本考案のコンピュータ用の録音機能付きワイヤレスカーソル位置決め装置の使用形態を示す図である。
【図２】本考案の録音可能なワイヤレスコンピュータカーソル制御装置の回路図である。
【符号の説明】
【００２０】
１    録音可能なワイヤレスコンピュータカーソル制御装置、
２    コンピュータ、
１１    制御ユニット、
１２    送信機、
１３    ボタン、
１４    レコーダ、
１５    動作コントローラ、
２１    受信機。
【図１】
0003108394.tif 000003
【図２】
0003108394.tif 000004